(57)【要約】【課題】脚柱の高さが固定された枠組足場に対して適用可能な、脚柱の高さを嵩上げするための枠組足場用高さ調整用支柱を提供する。【解決手段】枠組足場１０の脚柱１１の下端に挿入する相対的に小径な挿入部２と、挿入部２と同軸に挿入部２の下端に連結され、挿入部２よりも大径に形成された継足延長部３と、挿入部２の側面に水平に貫設された上部固定孔４と、継足延長部３の側面に、上部固定孔４と同じ向きに貫設された下部固定孔５とを備えた構成とする。脚柱１１の下端に挿入部２を挿入し、固定ピン１３で固定すれば嵩上げできる。【選択図】図４
2015203223.tif 000002
【特許請求の範囲】
【請求項１】
枠組足場の高さの嵩上げを行うための枠組足場用高さ調整用支柱であって、
枠組足場の脚柱の下端に挿入する相対的に小径な挿入部と、
前記挿入部と同軸に前記挿入部の下端に連結され、前記挿入部よりも大径に形成された継足延長部と、
前記挿入部の側面に水平に貫設された上部固定孔と、
前記継足延長部の側面に、前記上部固定孔と同じ向きに貫設された下部固定孔と、を備えた枠組足場用高さ調整用支柱。
【発明の詳細な説明】
【技術分野】
【０００１】
本発明は、枠組足場の高さ調節に用いる枠組足場用高さ調整用支柱に関する。
【背景技術】
【０００２】
枠組足場は、建設現場において、作業者が高所作業を行う際などに広く使用されている。枠組足場は、建枠層を多層に積層連結して構成される。１層の建枠層は、垂直に立てた脚柱を１層の立体矩形格子の垂直辺位置に並べて配設し、隣り合う各脚柱間を横架材により連結して格子枠を構成するとともに、各隣接脚柱間を交叉筋違などで連結補強することによって構成される。また、各横架材間には、足場として足場板が架け渡され、足場が形成される。
【０００３】
枠組足場は、作業現場の状況に応じて適度の高さのものが必要とされることがあるため、これまでに高さ調節可能な枠組足場が幾つか考案されている。かかる高さ調節が可能な枠組足場としては、特許文献１，２に記載のものが公知である。
【０００４】
特許文献１に記載の枠組足場の建枠（枠組足場）は、図５に示すように、支柱１０１（脚柱）を、外管１０２と、当該外管の内径よりも小径の内管２０３により構成し、内管１０３を外管１０２に伸縮自在に挿管するとともに、内管１０３を外管１０２に固定する固定支持ピン１０４を備えたものである。
【０００５】
特許文献２に記載の建枠（枠組足場）は、図６に示すように、水平部１１０（横架材）の左右に脚柱１１１，１１１を備えた門型の主枠と、脚柱１１１に平行して設けられ、その両端部がそれぞれ脚柱１１１，水平部１１０に固着された補強枠１１２とを備えており、脚柱１１１と補強枠１１２とを上下方向に複数の分割部分ａ，ｂ，ｃに分割し、それぞれの分割部分ａ，ｂ，ｃは、対面する脚柱１１１同士と補強枠１１２同士とが挿通自在に構成され、脚柱１１１及び補強枠１１２の側面に複数貫設された固定孔と固定金具によって、各分割部分ａ，ｂ，ｃは任意の挿通位置に調節固定可能としたものである。
【先行技術文献】
【特許文献】
【０００６】
【特許文献１】実開平５−３２５８２号公報
【特許文献２】実用新案登録第３０１７０６１号明細書
【発明の概要】
【発明が解決しようとする課題】
【０００７】
上記の従来の枠組足場は、各脚柱を伸縮できる自由度が大きく、枠組足場を様々な高さに調節できるという点で優れている。しかしながら、実際の現場では、建枠を多層に積層連結することによって高さ調節が可能なため、それほど様々な高さが要求される状況は少ない。むしろある一定の高さ分だけ嵩上げして使用したいという場合が多い。
【０００８】
具体的には、現在市販されている枠組足場の殆どは、脚柱の高さが１７０ｃｍ，上下の脚柱を連結するジョイントの高さが２．５ｃｍに規格化されている。しかしながら、近年では、作業員の平均身長は一般に約１７２ｃｍ程度であり、市販の枠組足場は作業員の平均身長よりも若干低く、作業員は足場の上で屈んで作業する必要があり作業性が悪いという問題がある。そこで、各脚柱を一律数センチ嵩上げしたいという場合が多い。
【０００９】
そのような場合、現在市販されている枠組足場に代えて、上記の従来の枠組足場を使用すれば勿論嵩上げが可能であるが、安価に入手可能な高さが固定された市販品は使用することができない。また、上記従来の枠組足場のように様々な高さに対応して調節する必要まではないため、上記従来の枠組足場ではオーバースペックである。また、脚柱が伸縮できるように、脚柱を二重管で構成しているため、通常の建枠（固定高さの市販の枠組足場）に比べて重くなり、組み立て作業時や運搬時の作業性が低下する。
【００１０】
そこで、本発明の目的は、脚柱の高さが固定された枠組足場に対して適用可能な、脚柱の高さを嵩上げするための枠組足場用高さ調整用支柱を提供することにある。
【課題を解決するための手段】
【００１１】
本発明に係る枠組足場用高さ調整用支柱は、枠組足場の高さの嵩上げを行うための枠組足場用高さ調整用支柱であって、
枠組足場の脚柱の下端に挿入する相対的に小径な挿入部と、
前記挿入部と同軸に前記挿入部の下端に連結され、前記挿入部よりも大径に形成された継足延長部と、
前記挿入部の側面に水平に貫設された上部固定孔と、
前記継足延長部の側面に、前記上部固定孔と同じ向きに貫設された下部固定孔と、
を備えたものである。
【００１２】
この構成によれば、挿入部を枠組足場の脚柱の下端に挿入し、上部固定孔に固定部材を差し込んで固定することにより、枠組足場の脚柱の嵩上げを行うことができる。これにより、従来から広く使用されている高さが固定された枠組足場をそのまま使用して、一定量の脚柱の嵩上げを行うことができる。
【発明の効果】
【００１３】
本発明によれば、従来から広く使用されている高さが固定された枠組足場をそのまま使用して、一定量の脚柱の嵩上げを行うことができる。従って、高さ調節用の枠組足場を別途用意する必要がない。また、構造が単純であるため軽量であり、運搬がしやすく、現場での高所における組み立て作業も容易である。
【００１４】
また、本発明に係る枠組足場用高さ調整用支柱は、既存の建枠に一度取り付けてしまえば、毎回外す必要はなく、そのまま建枠ごと梱包することができ、取り付けて梱包した状態でトラックにより運搬することができるため利便性が高い。
【図面の簡単な説明】
【００１５】
【図１】本発明の実施例に係る枠組足場用高さ調整用支柱の斜視図である。
【図２】図１の枠組足場用高さ調整用支柱の（ａ）正面図，（ｂ）右側面図，（ｃ）平面図，（ｄ）底面図である。
【図３】図２（ａ）の枠組足場用高さ調整用支柱のＡ−Ａ線断面図である。
【図４】枠組足場用高さ調整用支柱１を枠組足場の脚柱の下端に装着する様子を表す図である。
【図５】特許文献１に記載の枠組足場の建枠である。
【図６】特許文献２に記載の建枠である。
【発明を実施するための形態】
【００１６】
以下、本発明を実施するための形態について、図面を参照しながら説明する。
【実施例１】
【００１７】
図１は、本発明の実施例に係る枠組足場用高さ調整用支柱の斜視図である。図２は、図１の枠組足場用高さ調整用支柱の（ａ）正面図，（ｂ）右側面図，（ｃ）平面図，（ｄ）底面図である。図３は、図２（ａ）の枠組足場用高さ調整用支柱のＡ−Ａ線断面図である。各図において、濃淡及び陰影は形状を表している。尚、図１〜図３の枠組足場用高さ調整用支柱は、前後及び左右に面対称である。
【００１８】
枠組足場用高さ調整用支柱１は、全体が２段段差状の円筒体に構成されている。段差の上側の相対的に小径な円筒部分を挿入部２、段差の下側の挿入部２よりも大径に形成された円筒部分を継足延長部３と呼ぶ。挿入部２は、枠組足場の脚柱の下端の筒内に挿入される部分である。挿入部２と継足延長部３とは同軸である。
【００１９】
挿入部２の上端は、丸み面取りがされている。挿入部２の側面下部には、上部固定孔４が挿入部２の前面から背面へかけて水平に貫通形成されている。一方、継足延長部３の側面下部には、下部固定孔５が継足延長部３の前面から背面へかけて水平に貫通形成されている。上部固定孔４と下部固定孔５との軸方向は同一とされている。
【００２０】
以上のように構成された本実施例に係る枠組足場用高さ調整用支柱１について、以下その使用方法を説明する。
【００２１】
図４は、枠組足場用高さ調整用支柱１を枠組足場１０の脚柱１１の下端に装着する様子を表す図である。
【００２２】
枠組足場用高さ調整用支柱１の継足延長部３の外径は、枠組足場１０の脚柱１１の外径と同径とされており、継足延長部３の内径は、枠組足場１０の脚柱１１の内径と同径とされている。また、挿入部２の外径は、枠組足場１０の脚柱１１の内径よりも僅かに小径とされている。枠組足場１０の脚柱１１を延長する場合、図４に示すように、枠組足場１０の各脚柱１１の下端の筒内に、枠組足場用高さ調整用支柱１の挿入部２を差し込み、脚柱１１に設けられた固定孔１２と上部固定孔４の位置及び向きを合わせる。そして、固定孔１２から上部固定孔４へ固定ピン１３（固定部材）を挿設して固定する。これにより、脚柱１１は継足延長部３の長さだけ延長される。
【符号の説明】
【００２３】
１  枠組足場用高さ調整用支柱
２  挿入部
３  継足延長部
４  上部固定孔
５  下部固定孔
１０  枠組足場
１１  脚柱
１２  固定孔
１３  固定ピン
１４  ピン止め
【図４】
2015203223.tif 000003
【図５】
2015203223.tif 000004
【図６】
2015203223.tif 000005
【図１】
2015203223.tif 000006
【図２】
2015203223.tif 000007
【図３】
2015203223.tif 000008